(57)【要約】    【構成】  番組記録再生装置１０は、放送番組を受信するチューナ１２と放送番組の映像信号及び音声信号を記録する記録再生回路１６とタイマ３４を有する。システムコントローラ３６が番組再生の指令をすると、記録された番組の映像信号及び音声信号は再生される。再生開始の際、追いかけ再生であるか否か判別する。判別結果が肯定的であるとき、現在時刻がＣＲＴ３０に表示され、音声メッセージがスピーカ３２から出力される。  【効果】  したがって、時刻表示された番組を記録して再生した場合、画面表示されている時刻を現在時刻と誤認するおそれがない。  【選択図】  図１
2007214828.tif 000002
【特許請求の範囲】
【請求項１】
放送番組を受信する受信手段と放送番組の映像信号及び音声信号を記録する記録手段と記録した番組の映像信号及び音声信号を再生する再生手段とタイマと追いかけ再生手段を備えた番組記録再生装置において、
前記追いかけ再生であることを検出する検出手段、
前記検出手段によって追いかけ再生であることを検出したとき現在時刻を通知する現在時刻通知手段を備える番組記録再生装置。
【請求項２】
前記現在時刻通知手段は、前記再生手段によって再生された映像信号に現在時刻文字信号を重量して画面上に現在時刻を表示させる、請求項２記載の番組記録再生装置。
【請求項３】
前記現在時刻通知手段は、前記再生手段によって再生された音声信号に現在時刻音声信号を合成してスピーカに出力する、請求項１または２記載の番組記録再生装置。
【発明の詳細な説明】
【技術分野】
【０００１】
この発明は、番組記録再生装置に関し、特にたとえば、放送番組を受信する機能および放送番組を記録する機能を有する、番組記録再生装置に関する。
【背景技術】
【０００２】
従来のこの種の装置の一例が、特許文献１に開示されている。この従来の映像信号再生装置は、録画番組を再生中、予め設定した所定の時刻に、現在時刻を画面上に定期的に表示する。よって、利用者は現在時刻を見落とすおそれがなく、利用者の時間管理上有効である。一方、記録中であってもその録画内容の冒頭から記録中の箇所まで自由に視聴できる方法、いわゆる追いかけ再生が特許文献２に開示されている。
【特許文献１】特開平７−３０７０８３号公報
【特許文献２】特開平６−１４２８８号公報
【発明の開示】
【発明が解決しようとする課題】
【０００３】
しかし、従来技術では、設定した所定の時刻になるまでの間は、現在時刻を確認できない。したがって、時刻表示された番組を録画して再生した場合、画面表示されている時刻を現在の時刻と誤認するおそれがある。特に、追いかけ再生をしているときは、録画開始時間と現在時刻にあまり差がないため、誤認する可能性が高くなる。また、利用者は、朝出勤の準備などで忙しいときには、画面を常に見ることができないことがあり、現在時刻を知ることができない。
【０００４】
それゆえに、この発明の主たる目的は、時刻表示された番組を録画して再生した場合、画面表示されている時刻を現在の時刻と誤認しない、番組記録再生装置を提供することである。
【課題を解決するための手段】
【０００５】
請求項１の発明に従う番組記録再生装置は、放送番組を受信する受信手段と放送番組の映像信号及び音声信号を記録する記録手段と記録した番組の映像信号及び音声信号を再生する再生手段とタイマと追いかけ再生手段を備えた番組記録再生装置において、前記追いかけ再生であることを検出する検出手段、前記検出手段によって追いかけ再生であることを検出したとき現在時刻を通知する現在時刻通知手段を備える。
【０００６】
請求項２の発明に従う番組記録再生装置は、請求項１に従属し、前記現在時刻通知手段は、前記再生手段によって再生された映像信号に現在時刻文字信号を重量して画面上に現在時刻を表示させる。
【０００７】
請求項３の発明に従う番組記録再生装置は、請求項１または２に従属し、前記現在時刻通知手段は、前記再生手段によって再生された音声信号に現在時刻音声信号を合成してスピーカに出力する。
【発明の効果】
【０００８】
時刻表示された番組を記録して再生した場合、画面表示されている時刻を現在の時刻と誤認するおそれがない。画面を見ていなくても、正確な現在時刻を知ることができる。
【０００９】
この発明の上述の目的，その他の目的，特徴および利点は、図面を参照して行う以下の実施例の詳細な説明から一層明らかとなろう。
【発明を実施するための最良の形態】
【００１０】
図１を参照して、アンテナ１１は、屋外において所定の方向に向けて配置されており、放送局から送られてくる地上ディジタル放送信号を受信する。
【００１１】
チューナ１２は、映像・音声データを含む高周波ディジタル変調信号のうちから特定周波数の信号を取り出す。また、チューナ１２は、復調回路、逆インタリーブ回路、誤り訂正回路などを備えることにより、選択したディジタル変調信号を復調してトランスポートストリームを出力する。
【００１２】
デマルチプレクサ（ＤＥＭＵＸ）１４は、トランスポートストリームを、ＭＰＥＧ（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ１４は、ビデオトランスポートパケットとオーディオトランスポートパケットをＡＶデコーダ１８に供給し、ＰＳＩに含まれるサービス情報をシステムコントローラ３６に供給する。サービス情報には、番組タイトル名、ジャンル情報等が含まれている。デマルチプレクサ１４にて分離されたサービス情報等は、メモリ３８に格納される。なお、前述のごとく、トランスポートストリームには複数のチャネルが多重化されており、このなかから任意のチャネルを選択するための処理は、前記ＰＳＩから任意のチャネルがトランスポートストリーム中でどのパケットＩＤで多重化されているかといったデータを取り出すことで可能となる。また、トランスポートストリームの選定（トランスポンダの選定）もＰＳＩ／ＳＩの情報に基づいて行なうことができる。
【００１３】
ＡＶデコーダ１８は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路２０に出力され、音声データは音声処理回路２２に出力される。
【００１４】
映像処理回路２０は、ＡＶデコーダ１８から出力された映像データを受け取り、Ｄ／Ａ変換を行って映像信号を生成する。音声信号処理回路２２は、ＡＶデコーダ２６から出力された音声データを受け取り、音声信号を生成する。
【００１５】
映像出力回路２６及び音声出力回路２８は、出力抵抗や増幅器等を備えて成る。映像出力回路２６からの出力は、ＣＲＴ３０に供給される。音声処理回路２８からの出力は、スピーカ３２に供給される。
【００１６】
メモリ３８は、時刻表示するための文字データ及び音声メッセージを出力するための音声メッセージ圧縮データが予め格納されている。
【００１７】
システムコントローラ３６は、番組のタイトル情報をメモリ３８から読み出して、ＯＳＤ回路４２に出力する。ＯＳＤ回路４２は、システムコントローラ３６から出力指示されたタイトル情報に基づくビットマップデータを加算器２４に出力する。加算器２４は映像処理回路２０から出力された映像信号に組み込む処理を行う。これによって、図２のような番組指定メニューで番組のタイトル名が表示される。
【００１８】
また、システムコントローラ３６は、タイマ３４から現在時刻データを取得する。システムコントローラ３６は、現在時刻データと対応する音声メッセージ圧縮データをメモリ３８から読み出して、音声デコーダ４６に出力する。音声デコーダ４６は、音声メッセージ圧縮データを復号して音声メッセージデータを生成して、音声加算器４８に出力する。音声加算器４８は、ＡＶデコーダ１８から出力された音声データに上記音声メッセージデータを合成する。これによって、現在時刻の音声メッセージがスピーカ３２から出力される。
【００１９】
リモコン４４は、番組記録再生装置１０に指令を送出するための送信機である。このリモコン４４に設けられた図示しないキーを操作すると、そのキーに対応した指令を意味する信号光（リモコン信号）が図示しない発光部から送出される。リモコン受光器４０は、信号光を受光し、これを電気信号に変換してシステムコントローラ３６に与える。
【００２０】
システムコントローラ３６は、リモコン４４から番組記録の指令を受けると、デマルチプレクサ１４に対してビデオトランスポートパケットとオーディオトランスポートパケットを記録再生回路１６に供給するように指令を送出する。システムコントローラ３６から指令を受けたデマルチプレクサ１４は、ビデオトランスポートパケットとオーディオトランスポートパケットを記録再生回路１６に供給する。記録再生回路１６は、デマルチプレクサ１４から供給されたビデオトランスポートパケット及びオーディオトランスポートパケットを記録する。このとき、タイマ３４から日付及び時刻データが読み出され、記録している番組のサービス情報と関連付けられてメモリ３８に保存される。つまり、番組の記録を開始した日付及び時刻がメモリ３８に格納される。
【００２１】
システムコントローラ３６は、リモコン４４から番組再生の指令を受けると、記録再生回路１６に対してビデオトランスポートパケットとオーディオトランスポートパケットをＡＶデコーダ１８に供給するように指令を送出する。システムコントローラ３６から指令を受けた記録再生回路１６は、記録されているビデオトランスポートパケットとオーディオトランスポートパケットをＡＶデコーダ１８に供給することによって、記録された番組の映像および音声が再生される。また、システムコントローラ３６は、リモコン４４から「追いかけ再生」の指令を受けると、記録再生回路１６に対して番組記録中であってもその記録内容の冒頭から記録中の箇所まで再生するように指令を送出する。
【００２２】
図２を参照して、現在時刻の通知方法の設定について説明する。リモコン４４の操作によって、図２に示すような「現在時刻通知設定」のメニュー画面がＣＲＴ３０に表示される。追いかけ再生時に現在時刻を表示する場合は、「追いかけ再生時」のチェックボックスにチェックを入れる。上記設定がされている場合、現在時刻が午前７時１５分のときリモコン４４の操作によって追いかけ再生を開始した際、システムコントローラ３６は、タイマ３４から現在時刻データを取得する。システムコントローラ３６は、現在時刻データと対応する文字をメモリ３８から読み出して、ＯＳＤ回路４２に出力する。ＯＳＤ回路４２は、システムコントローラ３６から出力指示された文字情報に基づくビットマップデータを加算器２４に出力する。加算器２４は映像処理回路２０から出力された映像信号に組み込む処理を行う。これによって、再生している番組に時刻「６：４５」表示がされていても（図４（ａ））、現在時刻「７：１５」がＣＲＴ３０にオンスクリーン表示され、あるいは「７時１５分です」という音声メッセージが出力される。
【００２３】
図２のメニュー画面で「表示」のチェックボックスにチェックを入れた場合、現在時刻を通知するときは現在時刻がＣＲＴ３０の画面上に表示される。「音声」のチェックボックスにチェックを入れた場合、現在時刻を通知するときは現在時刻の音声メッセージがスピーカ３２から出力される。
【００２４】
次に、図３を参照して、現在時刻の表示時間の間隔について説明する。「画面表示間隔」において、「常に表示」のチェックボックスにチェックすると、図２の設定条件を満たして現在時刻が通知される場合は、現在時刻が画面上に常時表示される。一方、「○○分おきに表示」のチェックボックスにチェックして、「１０」分おきに表示と入力すると、図２の設定条件を満たして現在時刻が通知される場合は、現在時刻が１０分おきに画面上に表示される。この場合、現在時刻が画面に表示される時間は５秒であるが、この時間に限定されない。図３を参照して、現在時刻の音声メッセージが出力される間隔について説明する。「音声出力間隔」において、「３０」分おきに出力と入力すると、図２の設定条件を満たして現在時刻が通知される場合は、現在時刻の音声メッセージが３０分おきに出力される。
【００２５】
システムコントローラ３６は、図５及び６に示す制御プログラムを実行する。図５を参照して、ステップＳ１では、リモコン４４の操作によって再生終了コマンドがあったか否か判別し、ＹＥＳであれば番組の再生を終了する。ステップＳ３では、図２を参照して、現在時刻通知設定メニューで現在時刻の通知設定がされているか否か判別し、ＹＥＳであればステップＳ５に進む。ステップＳ５では、図２を参照して、現在時刻通知設定メニューで時間差について常に表示に設定がされているか否か判別し、ＹＥＳであれば図６を参照してステップＳ１１に進む。
【００２６】
一方、ステップＳ５を判別してＮＯであれば、ステップＳ７に進み「追いかけ再生」であるか否か判別し、ＹＥＳであればステップＳ１１に進む。ステップＳ７を判別してＮＯであれば、ステップＳ９に進む。ステップＳ９では、リモコン４４の操作によって再生終了コマンドがあったか否か判別し、ＹＥＳであれば番組の再生を終了する。
【００２７】
ステップＳ１１では、図２を参照して、現在時刻通知設定メニューで画面表示及び音声出力をする設定になっているか否か判別し、ＹＥＳであればステップＳ１３に進む。ステップＳ１３では、現在時刻をＣＲＴ３０の画面上に表示して、現在時刻の音声メッセージをスピーカ３２から出力する。ステップＳ１５では、リモコン４４の操作によって再生終了コマンドがあったか否か判別し、ＹＥＳであればステップＳ１７に進む。ステップＳ１７では、ＣＲＴ３０の画面上に表示されている現在時刻を非表示にし、現在時刻の音声メッセージ出力を停止して、番組の再生を終了する。
【００２８】
ステップＳ１９では、図２を参照して、現在時刻通知設定メニューで画面表示をする設定になっているか否か判別し、ＹＥＳであればステップＳ２１に進む。ステップＳ２１では、現在時刻をＣＲＴ３０の画面上に表示する。ステップＳ２３では、リモコン４４の操作によって再生終了コマンドがあったか否か判別し、ＹＥＳであればステップＳ２５に進む。ステップＳ２５では、ＣＲＴ３０の画面上に表示されている現在時刻を非表示にして、番組の再生を終了する。ステップＳ１９の判別がＮＯであれば、図２を参照して、現在時刻通知設定メニューで音声出力をする設定になっているので、ステップＳ２７に進む。
【００２９】
ステップＳ２７では、現在時刻の音声メッセージをスピーカ３２から出力する。ステップＳ２９では、リモコン４４の操作によって再生終了コマンドがあったか否か判別し、ＹＥＳであればステップＳ３１に進む。ステップＳ３１では、現在時刻の音声メッセージ出力を停止して、番組の再生を終了する。
【００３０】
以上の説明から分かるように、番組記録再生装置１０は、放送番組を受信するチューナ１２と放送番組の映像信号及び音声信号を記録する記録再生回路１６とタイマ３４を有する。当該記録された番組の映像信号及び音声信号は再生される。再生を開始した際、追いかけ再生であるか否か判別する(S7)。判別結果が肯定的であるとき、現在時刻がＣＲＴ３０に表示され、音声メッセージがスピーカ３２から出力される(S13,S21,S27)。
【００３１】
したがって、時刻表示された番組を記録して再生した場合、画面表示されている時刻を現在の時刻と誤認するおそれがない。
【図面の簡単な説明】
【００３２】
【図１】この発明の一実施例を示すブロック図である。
【図２】現在時刻通知設定メニューの一例を示す図解図である。
【図３】現在時刻の画面表示時間の間隔の設定メニューの一例を示す図解図である。
【図４】現在時刻を画面に表示した一例を示す図解図である。
【図５】図１実施例の動作の一部を示すフロー図である。
【図６】図１実施例の動作の他の一部を示すフロー図である。
【符号の説明】
【００３３】
１０  …  番組記録再生装置
１２  …  チューナ
１４  …  デマルチプレクサ
１６  …  記録再生回路
１８  …  ＡＶデコーダ
２４  …  加算器
３０  …  ＣＲＴ
３２  …  スピーカ
３４  …  タイマ
３６  …  システムコントローラ
３８  …  メモリ
４２  …  ＯＳＤ回路
【図１】
2007214828.tif 000003
【図２】
2007214828.tif 000004
【図３】
2007214828.tif 000005
【図４】
2007214828.tif 000006
【図５】
2007214828.tif 000007
【図６】
2007214828.tif 000008